(57)【要約】【課題】組電池の電池異常に加えて、検出手段や制御装置の装置異常を検出可能な電池監視装置を提供する。【解決手段】主検出回路２１および副検出回路２２にて同様のタイミングで検出した同一の電池セル１０に関する電池電圧の検出結果、および当該検出結果に基づく電池異常の監視結果といった監視情報を主マイコン２３および副マイコン２４で共有する構成とする。そして、各マイコン２３、２４が、それぞれ保有する監視情報同士の異同を判定することで、組電池１の電池異常に加えて、各検出回路２１、２２や各マイコン２３、２４の異常に起因する装置異常を検出する。【選択図】図１
2014166034.tif 000002
【特許請求の範囲】
【請求項１】
複数個の電池セル（１０）を直列に接続して構成される組電池（１）に適用され、前記組電池の電池状態を示す複数の物理量のうち、少なくとも特定の物理量を監視する電池監視装置であって、
１つまたは隣接するＮ（＝正の整数）個の前記電池セルを検出単位とし、該検出単位毎に前記特定の物理量を検出する主検出手段（２１）と、
前記主検出手段を制御すると共に、前記主検出手段による前記特定の物理量の検出結果に基づいて前記組電池の電池異常を監視する主制御装置（２３）と、
前記Ｎより多いＭ（＝正の整数）個の前記電池セルを検出単位とし、該検出単位毎に前記特定の物理量を検出する副検出手段（２２）と、
前記副検出手段を制御すると共に、前記副検出手段による前記特定の物理量の検出結果に基づいて前記組電池の電池異常を監視する副制御装置（２４）と、を備え、
前記主制御装置および前記副制御装置は、
前記主検出手段にて検出対象となる前記電池セルの前記特定の物理量の検出タイミングと、前記副検出手段にて前記主検出手段で検出対象とする前記電池セルを含むセル群の前記特定の物理量の検出タイミングとを同期させるように構成されると共に、
前記特定の物理量の検出結果および前記電池異常の監視結果を含む監視情報を共有できるように双方向に通信可能に接続されており、
前記主制御装置および前記副制御装置それぞれは、一方の制御装置における前記監視情報と他方の制御装置における前記監視情報との異同に基づいて、前記主検出手段、前記主制御装置、前記副検出手段、および前記副制御装置の装置異常を検出するように構成されていることを特徴とする電池監視装置。
【請求項２】
前記主制御装置および前記副制御装置それぞれは、前記主制御装置による前記電池異常の監視結果と前記副制御装置による前記電池異常の監視結果とが異なる場合に、前記装置異常と判定することを特徴とする請求項１に記載の電池監視装置。
【請求項３】
前記主制御装置および前記副制御装置それぞれは、前記主検出手段による前記特定の物理量の検出結果と前記副検出手段による前記特定の物理量の検出結果との異同に基づいて、前記装置異常を検出することを特徴とする請求項１に記載の電池監視装置。
【請求項４】
前記主検出手段における前記特定の物理量を検出する前記電池セルの検出単位を第１検出単位とし、前記副検出手段における前記特定の物理量を検出する前記電池セルの検出単位を第２検出単位としたとき、
前記主検出手段は、前記第１検出単位毎の電池電圧を検出するように構成されており、
前記副検出手段は、前記第２検出単位毎の電池電圧を検出するように構成されていることを特徴とする請求項３に記載の電池監視装置。
【請求項５】
前記副制御装置は、前記主制御装置から取得した前記第１検出単位毎の前記電池電圧を前記第２検出単位毎の前記電池電圧に換算し、換算した前記電池電圧が、前記副検出手段にて検出した前記第２検出単位毎の前記電池電圧と異なる場合に、前記装置異常と判定することを特徴とする請求項４に記載の電池監視装置。
【請求項６】
前記主制御装置は、前記主検出手段にて検出した前記第１検出単位毎の前記電池電圧を前記第２検出単位毎の前記電池電圧に換算し、
前記副制御装置は、前記主制御装置から取得した前記第２検出単位毎の前記電池電圧の物理量が、前記副検出手段にて検出した前記第２検出単位毎の前記電池電圧と異なる場合に、前記装置異常と判定することを特徴とする請求項４に記載の電池監視装置。
【請求項７】
前記主制御装置は、前記主検出手段にて検出した前記第１検出単位毎の前記電池電圧を前記第２検出単位毎の前記電池電圧に換算し、換算した前記電池電圧が、前記副制御装置から取得した前記第２検出単位毎の前記電池電圧と異なる場合に、前記装置異常と判定することを特徴とする請求項４ないし６のいずれか１つに記載の電池監視装置。
【請求項８】
前記主制御装置は、
前記主検出手段に加えて、前記副検出手段による前記特定の物理量の検出結果を取得可能に構成され、
前記装置異常と判定した際に、前記主検出手段から取得した前記特定の物理量の検出結果、前記副検出手段から取得した前記特定の物理量の検出結果、および前記副制御装置から取得した前記特定の物理量を比較して、前記装置異常が、前記主検出手段、前記副検出手段、前記主制御装置、および前記副制御装置の何れに起因しているかを検出するように構成されていることを特徴とする請求項１ないし７のいずれか１つに記載の電池監視装置。
【請求項９】
前記副制御装置は、
前記副検出手段に加えて、前記主検出手段による前記特定の物理量の検出結果を取得可能に構成され、
前記装置異常と判定した際に、前記主検出手段から取得した前記特定の物理量の検出結果、前記副検出手段から取得した前記特定の物理量の検出結果、および前記主制御装置から取得した前記特定の物理量を比較して、前記装置異常が、前記主検出手段、前記副検出手段、前記主制御装置、および前記副制御装置の何れに起因しているかを検出するように構成されていることを特徴とする請求項１ないし８のいずれか１つに記載の電池監視装置。
【請求項１０】
前記主制御装置および前記副制御装置は、一方の制御装置から他方の制御装置へ周期信号を送信する通信ポート（２３１、２４１）を有し、前記通信ポートからの周期信号により前記検出タイミングを同期させるように構成されていることを特徴とする請求項１ないし９のいずれか１つに記載の電池監視装置。
【請求項１１】
前記主制御装置および前記副制御装置は、一方の制御装置から他方の制御装置への通信データの送信タイミングを利用して、前記検出タイミングを同期させるように構成されていることを特徴とする請求項１ないし９のいずれか１つに記載の電池監視装置。
【請求項１２】
前記主制御装置および前記副制御装置は、起動時に制御時刻を双方で共有することで、前記検出タイミングを同期させるように構成されていることを特徴とする請求項１ないし９のいずれか１つに記載の電池監視装置。
【発明の詳細な説明】
【技術分野】
【０００１】
本発明は、複数の電池セルで構成される組電池の電池状態を監視する電池監視装置に関する。
【背景技術】
【０００２】
従来、組電池の電池状態を検出する検出手段、および検出手段を制御すると共に、検出手段の監視結果を取得して組電池の異常を検出する制御手段を備える電池監視装置が知られている（例えば、特許文献１参照）。
【０００３】
この特許文献１には、組電池の電圧状態を監視する手段を、各電池セルを所定数単位でグループ化した電池ブロックに対応して複数設けられた過充放電検出部、およびフライングキャパシタ方式の電圧検出部で構成する電池監視装置が開示されている。これによれば、組電池の電圧状態を監視する手段が冗長な構成となるので、一方の検出部に異常が生じたとしても他方の検出部にて組電池の電圧状態の監視を継続することが可能となる。
【先行技術文献】
【特許文献】
【０００４】
【特許文献１】特開２０１０−２２６８１１号公報
【発明の概要】
【発明が解決しようとする課題】
【０００５】
ところで、特許文献１では、各充放電検出部および電圧検出部といった手段が、単一のマイクロコンピュータ（以下、マイコンと略称する。）で構成される制御装置に接続され、制御装置からの制御信号に応じて制御されると共に、それぞれの出力結果が制御装置に入力される構成となっている。
【０００６】
このような構成とすると、制御装置に何らかの異常が生じた場合に、各充放電検出部および電圧検出部の出力から組電池の異常を適切に検出できなくなってしまうことから、信頼性に欠けるといった課題がある。
【０００７】
これに対して、各充放電検出部および電圧検出部に接続された制御装置と同等の機能を有するマイコンを追加して、各充放電検出部および電圧検出部の制御や組電池の異常を検出する手段を冗長化させることが考えられる。
【０００８】
しかし、単に、各充放電検出部および電圧検出部の制御や組電池の異常を検出する手段を冗長化すると、電池監視装置の内部構成が複雑となり、電池監視装置のコストが著しく増加してしまうといった問題が生ずる。
【０００９】
そこで、本出願人は、先に出願した特願２０１２−２５９８１４（以下、先願例と言う。）において、検出手段および制御装置を一組とした構成を冗長化すると共に、一方の検出手段を他方の検出手段よりも簡素化する構成を提案している。
【００１０】
この先願例に記載の電池監視装置によれば、単に検出手段および制御装置それぞれを冗長化させた場合に比べて、内部構成の複雑化を抑制することができるといった優れた利点を有する。
【００１１】
しかし、先願例では、組電池自体の異常（電池異常）について検出可能となっているものの、検出手段や制御装置の異常に起因して組電池の状態を検出できない装置異常については検出しておらず、改良の余地がある。
【００１２】
本発明は上記点に鑑みて、組電池の電池異常に加えて、検出手段や制御装置の装置異常を検出可能な電池監視装置を提供することを目的とする。
【課題を解決するための手段】
【００１３】
本発明は、複数個の電池セル（１０）を直列に接続して構成される組電池（１）に適用され、組電池の電池状態を示す複数の物理量のうち、少なくとも特定の物理量を監視する電池監視装置を対象としている。
【００１４】
上記目的を達成するため、請求項１に記載の発明では、１つまたは隣接するＮ（＝正の整数）個の電池セルを検出単位とし、該検出単位毎に特定の物理量を検出する主検出手段（２１）と、主検出手段を制御すると共に、主検出手段による特定の物理量の検出結果に基づいて組電池の電池異常を監視する主制御装置（２３）と、Ｎより多いＭ（＝正の整数）個の電池セルを検出単位とし、該検出単位毎に特定の物理量を検出する副検出手段（２２）と、副検出手段を制御すると共に、副検出手段による特定の物理量の検出結果に基づいて組電池の電池異常を監視する副制御装置（２４）と、を備える。そして、主制御装置および副制御装置は、主検出手段にて検出対象となる電池セルの特定の物理量の検出タイミングと、副検出手段にて主検出手段で検出対象とする電池セルを含むセル群の特定の物理量の検出タイミングとを同期させるように構成されると共に、特定の物理量の検出結果および電池異常の監視結果を含む監視情報を共有できるように双方向に通信可能に接続されており、さらに、主制御装置および副制御装置それぞれは、一方の制御装置における監視情報と他方の制御装置における監視情報との異同に基づいて、主検出手段、主制御装置、副検出手段、および副制御装置の装置異常を検出するように構成されていることを特徴としている。
【００１５】
このように、各検出手段にて同様のタイミングで検出した同一の電池セルに関する特定の物理量の検出結果、および当該検出結果に基づく電池異常の監視結果といった監視情報を各制御装置にて共有し、各制御装置が保有する監視情報同士の異同を判定する構成とすれば、組電池の電池異常に加えて、検出手段や制御装置の装置異常を検出することができる。
【００１６】
なお、この欄および特許請求の範囲で記載した各手段の括弧内の符号は、後述する実施形態に記載の具体的手段との対応関係の一例を示すものである。
【図面の簡単な説明】
【００１７】
【図１】第１実施形態に係る電池監視装置の全体構成図である。
【図２】第１実施形態に係る主検出回路の検出タイミングと副検出回路の検出タイミングを説明するためのタイミングチャートである。
【図３】第１実施形態に係る主マイコンが実行する制御処理の流れを示すフローチャートである。
【図４】第１実施形態に係る副マイコンが実行する制御処理の流れを示すフローチャートである。
【図５】第１実施形態に係る主マイコンが実行する装置異常判定処理の流れを示すフローチャートである。
【図６】第１実施形態に係る副マイコンが実行する装置異常判定処理の流れを示すフローチャートである。
【図７】第２実施形態に係る主マイコンが実行する装置異常判定処理の流れを示すフローチャートである。
【図８】第２実施形態に係る副マイコンが実行する装置異常判定処理の流れを示すフローチャートである。
【図９】第３実施形態に係る主マイコンが実行する装置異常判定処理の流れを示すフローチャートである。
【図１０】第３実施形態に係る副マイコンが実行する装置異常判定処理の流れを示すフローチャートである。
【図１１】第４実施形態に係る電池監視装置の全体構成図である。
【発明を実施するための形態】
【００１８】
以下、本発明の実施形態について図に基づいて説明する。なお、以下の各実施形態相互において、互いに同一もしくは均等である部分には、図中、同一符号を付してある。
【００１９】
（第１実施形態）
まず、第１実施形態について説明する。本実施形態では、ハイブリッド自動車や電気自動車等の車両に搭載される組電池１に、本発明の電池監視装置２を適用している。
【００２０】
組電池１は、車両走行用の駆動力を発生させる駆動機器を主として、車載された各種電気機器４に給電する車載高圧バッテリを構成している。なお、電気機器４には、組電池１から給電される機器に限らず、組電池１へ給電する充電器等も含まれる。
【００２１】
図１の全体構成図に示すように、本実施形態の組電池１は、システムメインリレー３を介して電気機器４に接続されている。システムメインリレー３は、組電池１と電気機器４との間の接続を導通状態および遮断状態に切り替える切替手段であり、電池監視装置２の監視結果等に基づいて車両全体を制御するための上位制御装置（図示略）により制御される。
【００２２】
組電池１は、リチウムイオン電池等の二次電池からなる電池セル１０を複数個（例えば、１００個）電気的に直列に接続したものである。なお、本実施形態の組電池１は、充放電の最小単位である各電池セル１０を所定数単位（例えば、４つ単位）でグループ化した複数の電池ブロックＣＢ１〜ＣＢｎで構成されている。
【００２３】
電池監視装置２は、組電池１の電圧状態を監視する装置（ＢＭＵ：Battery Management Unit）であって、主たる構成要素として、主検出回路２１、副検出回路２２、主マイコン２３、および副マイコン２４を備えている。
【００２４】
主検出回路２１は、組電池１の電池状態を示す複数の物理量のうち、特定の物理量を１または隣接するＮ個（＝正の整数：全セル数よりも少ない数）の電池セル１０を検出単位（第１検出単位）とし、該検出単位毎に特定の物理量を検出する主検出手段である。本実施形態の主検出回路２１は、１個の電池セル１０を検出単位とし、電池セル１０毎の電池電圧（セル電圧）を特定の物理量として検出するように構成されている。
【００２５】
本実施形態の主検出回路２１は、各電池ブロックＣＢ１〜ＣＢｎに対応して設けられた複数の監視ＩＣ（監視部）２１１で構成されている。各監視ＩＣ２１１は、主マイコン２３からの制御信号に応じて、対応する電池ブロックＣＢ１〜ＣＢｎの電池セル１０の状態検出等を行う集積回路である。なお、各監視ＩＣ２１１は、対応する電池ブロックＣＢ１〜ＣＢｎからの給電により作動するように構成されている。
【００２６】
本実施形態の各監視ＩＣ２１１は、隣り合う監視ＩＣ２１１同士が信号伝達可能なようにデイジチェーン方式で接続され、各監視ＩＣ２１１の１つ（図１では、最も低電位側の監視ＩＣ２１１）が、フォトカプラ等の絶縁部２５を介して主マイコン２３に接続されている。なお、絶縁部２５は、組電池１側（高電圧系）と主マイコン２３側（低電圧系）との間の絶縁性を確保する絶縁手段である。
【００２７】
各監視ＩＣ２１１の検出結果を示す信号は、主マイコン２３に接続された監視ＩＣ２１１を介して主マイコン２３へ入力され、主マイコン２３が出力する制御信号は、主マイコン２３に接続された監視ＩＣ２１１を介して他の監視ＩＣ２１１に順次伝達される。なお、各監視ＩＣ２１１と主マイコン２３との間の信号伝達は、デイジチェーン方式に限らず、各監視ＩＣ２１１それぞれを主マイコン２３とを接続するといった他の方式で実現してもよい。
【００２８】
本実施形態の各監視ＩＣ２１１は、対応する電池ブロックＣＢ１〜ＣＢｎの電池セル１０毎に電池電圧を検出するセル電圧検出回路２１１ａ等で構成されている。具体的には、セル電圧検出回路２１１ａは、電池セル１０の電池電圧を所定周期でサンプリングしてデジタル信号に変換して出力するＡＤ変換方式の電圧検出回路であり、図示しないマルチプレクサ、オペアンプ、ＡＤ変換器等で構成されている。なお、マルチプレクサは、各電池セル１０のうち、いずれか電池セル１０の両端子をオペアンプの一対の入力端子に選択的に接続する切替手段である。オペアンプは、マルチプレクサにより選択された電池セル１０の両端子間の電位差に応じたアナログ信号を出力する差動増幅回路であり、オペアンプから出力されたアナログ信号は、ＡＤ変換器にてデジタル信号に変換される。
【００２９】
副検出回路２２は、組電池１の電池状態を示す複数の物理量のうち、特定の物理量をＮ以上のＭ個（＝正の整数）の電池セル１０を検出単位（第２検出単位）とし、該検出単位毎に特定の物理量を検出する副検出手段である。本実施形態の副検出回路２２は、各電池ブロックＣＢ１〜ＣＢｎを検出単位とし、電池ブロックＣＢ１〜ＣＢｎ毎の電池電圧（ブロック電圧）を特定の物理量として検出するように構成されている。
【００３０】
具体的には、副検出回路２２は、電池電圧を蓄えるキャパシタ２２２、キャパシタ２２２に蓄えられた電池電圧を検出する検出部２２４、入力部２２１、および出力部２２３からなるフライングキャパシタ方式の電圧検出回路で構成されている。なお、入力部２２１は、電池ブロックＣＢ１〜ＣＢｎのブロック電圧をキャパシタ２２２に入力（印加）する回路であり、各電池ブロックＣＢ１〜ＣＢｎの両端に接続された検出ラインに設けられた入力側スイッチング素子Ｓ１〜Ｓｎ＋１で構成されている。また、出力部２２３は、キャパシタ２２２に蓄えられたブロック電圧を検出部２２４に出力（印加）する回路であり、キャパシタ２２２と検出部２２４とを接続するラインに設けられた出力側スイッチング素子Ｓａ、Ｓｂで構成されている。
【００３１】
ここで、副検出回路２２における電圧検出時の作動について簡単に説明する。例えば、電池ブロックＣＢ１の電池電圧を検出する場合、まず、入力側スイッチング素子Ｓ１、Ｓ２をオンし、電池ブロックＣＢ１の電池電圧をキャパシタ２２２に印加する。その後、入力側スイッチング素子Ｓ１、Ｓ２をオフすると共に、出力側スイッチング素子Ｓａ、Ｓｂをオンすることで、キャパシタ２２２に蓄えられた電池電圧を検出部２２４に入力する。このように副検出回路２２は、入力部２２１、および出力部２２３を制御することで、キャパシタ２２２を介して各電池ブロックＣＢ１〜ＣＢｎの電池電圧を検出可能に構成されている。
【００３２】
ところで、副検出回路２２は、電池監視装置２の信頼性の向上を図るために設けられた回路であり、主検出回路２１が正常に機能している限り必須でないことから、主検出回路２１に比べて、検出性能（例えば、検出精度や検出時間）が低い回路構成となっている。なお、本実施形態の副検出回路２２は、電池ブロック単位で電池電圧を検出する構成であることから、電池セル１０単位で電池電圧を検出する主検出回路２１よりも電圧の検出性能が低いことになる。
【００３３】
一方、副検出回路２２は、主検出回路２１よりも組電池１の電池電圧の監視数が少なく、検出性能が低い回路構成となるので、主検出回路２１に比べて、簡素な回路構成で実現することができる。なお、キャパシタ２２２は、組電池１側（高電圧系）と検出部２２４側（低電圧系）との間の絶縁性を確保する絶縁手段としての機能を果たす。
【００３４】
主マイコン２３および副マイコン２４それぞれは、ＣＰＵ、記憶手段を構成する各種メモリ等からなるマイクロコンピュータ、およびその周辺機器で構成され、メモリに記憶された制御プログラムに従って各種処理を実行するように構成されている。なお、各マイコン２３、２４は、組電池１以外の蓄電手段（例えば、車載された補助バッテリ）を電源として駆動する。
【００３５】
主マイコン２３は、主検出回路２１や組電池１における充放電を制御すると共に、主検出回路２１における第１検出単位毎の電池電圧（セル電圧）の検出結果に基づいて組電池１の電池異常を検出する主制御装置を構成している。
【００３６】
具体的には、主マイコン２３は、主検出回路２１の各監視ＩＣ２１１に対して電圧状態の監視を指示する制御信号を出力し、主検出回路２１の各監視ＩＣ２１１にて検出した第１検出単位毎の電池電圧を取得する。そして、主マイコン２３は、主検出回路２１から取得した電池電圧の検出結果に基づいて、組電池１の電池異常等を検出すると共に、組電池１の電池状態を制御する処理（例えば、組電池１の充放電の切り替え制御等）を実行する。
【００３７】
副マイコン２４は、副検出回路２２を制御すると共に、副検出回路２２における第２検出単位毎の電池電圧（ブロック電圧）の検出結果に基づいて組電池１の電池異常を検出する副制御装置を構成している。
【００３８】
具体的には、副マイコン２４は、副検出回路２２の入力部２２１、出力部２２３の作動を制御して、副検出回路２２にて検出した第２検出単位毎の電池電圧を取得する。そして、副マイコン２４は、副検出回路２２から取得した電池電圧の検出結果に基づいて、組電池１の電池異常等を検出する処理を実行する。なお、本実施形態の副マイコン２４では、主マイコン２３にて実行する組電池１の電池状態を制御する処理について実行しない。
【００３９】
ここで、本実施形態の各マイコン２３、２４は、主検出回路２１にて検出対象となる電池セル１０の電池電圧の検出タイミングと、副検出回路２２にて主検出回路２１で検出対象とする電池セル１０を含むセル群（電池ブロック）の電池電圧の検出タイミングとを同期させるように構成されている。
【００４０】
具体的には、本実施形態の各マイコン２３、２４は、一方のマイコンから他方のマイコンへ周期信号を送信する通信ポート２３１、２４１を有し、該通信ポート２３１、２４１からの周期信号（同期信号）により各検出回路２１、２２における電圧の検出タイミングを同期させている。
【００４１】
例えば、図２に示すように、同期信号が電池ブロックＣＢ１の検出タイミングＴ１を示す信号となる場合、主マイコン２３が、監視ＩＣ２１１に対して電池ブロックＣＢ１の各電池セル１０の電圧検出を指示し、副マイコン２４が、電池ブロックＣＢ１の両端に接続された入力側スイッチング素子Ｓ１、Ｓ２をオンする。
【００４２】
また、同期信号が電池ブロックＣＢ２の検出タイミングＴ２を示す信号となる場合、主マイコン２３が、監視ＩＣ２１１に対して電池ブロックＣＢ２の各電池セル１０の電圧検出を指示し、副マイコン２４が、電池ブロックＣＢ２の両端に接続された入力側スイッチング素子Ｓ２、Ｓ３をオンする。
【００４３】
このようにして、主検出回路２１にて検出対象となる電池ブロックＣＢを構成する電池セル１０の電圧の検出タイミングと、副検出回路２２にて主検出回路２１で検出対象とする電池セル１０を含む電池ブロックＣＢの電圧の検出タイミングとを同期させている。
【００４４】
また、本実施形態の各マイコン２３、２４は、各検出回路２１、２２による電池電圧の検出結果、および各マイコン２３、２４による電池異常の監視結果を含む監視情報を共有できるように双方向に通信可能に接続されている。
【００４５】
さらに、本実施形態の各マイコン２３、２４は、一方のマイコンにおける監視情報と他方のマイコンにおける監視情報との異同に基づいて、各検出回路２１、２２、各マイコン２３、２４の装置異常を検出するように構成されている。
【００４６】
なお、本実施形態では、主マイコン２３における主検出回路２１を制御する構成が主制御部２３ａを構成し、電池異常や装置異常を検出する構成が主異常検出部（異常検出手段）２３ｂを構成し、さらに、組電池１の電池状態を制御する構成が状態制御部２３ｃを構成している。また、本実施形態では、副マイコン２４における副検出回路２２を制御する構成が副制御部２４ａを構成し、電池異常や装置異常を検出する構成が副異常検出部（異常検出手段）２４ｂを構成している。
【００４７】
ここで、本実施形態の副マイコン２４は、各電池セル１０それぞれのセル電圧等の詳細なデータを取得する主マイコン２３に比べて、取得するデータ量が少ない。また、本実施形態の副マイコン２４は、主マイコン２３にて実行する組電池１の状態制御を行わないことから、主マイコン２３に比べて制御する処理が少ない。このため、本実施形態では、副マイコン２４を主マイコン２３よりも処理能力やメモリ容量の低いマイコンで構成している。
【００４８】
次に、本実施形態の主マイコン２３および副マイコン２４にて実行される組電池１の異常検出処理について図３、図４のフローチャートを用いて説明する。なお、図３、図４に示す制御フローは、車両システムの起動や上位制御装置からの指令等に基づいて開始される。
【００４９】
本実施形態の主マイコン２３が実行する組電池１の異常検出処理では、図３に示すように、まず、通信ポート２３１の周期信号により各電池セル１０の電池電圧の検出タイミングであるか否かを判定する（Ｓ１００）。
【００５０】
この結果、電池電圧の検出タイミングでないと判定された場合には、電池電圧の検出タイミングとなるまで待機し、電池電圧の検出タイミングであると判定された場合には、各監視ＩＣ２１１に対して、各電池セル１０のセル電圧の検出を指示する制御信号を出力する（Ｓ１１０）。
【００５１】
これにより、各監視ＩＣ２１１のセル電圧検出回路２１１ａが、検出対象となる電池ブロックＣＢ１〜ＣＢｎを構成する電池セル１０それぞれの電池電圧を予め定めた順序で検出する。
【００５２】
続いて、各監視ＩＣ２１１から検出結果である各電池セル１０のセル電圧を取得し（Ｓ１２０）、各監視ＩＣ２１１から取得した検出結果に基づいて、組電池１の電池異常の有無を判定する（Ｓ１３０）。
【００５３】
このステップＳ１３０の判定処理では、各監視ＩＣ２１１から取得した各電池セル１０のセル電圧が、予め定められたセル電圧許容範囲内であるか否かを判定し、セル電圧許容範囲外となる場合に、電池セル１０が過充電又は過放電となっているとして組電池１に電池異常有りと判定する。なお、セル電圧許容範囲は、各電池セル１０が要求される出力性能を発揮し得る範囲であって、電池セル１０における耐電圧の範囲内に設定されている。
【００５４】
ステップＳ１３０の判定処理の結果、電池異常有りと判定されなかった場合、組電池１の異常の有無を示す異常フラグを「正常」に設定し（Ｓ１４０）、電池異常有りと判定された場合、異常フラグを「電池異常」に設定する（Ｓ１５０）。なお、異常フラグは、主マイコン２３よりも上位制御装置にて参照されるフラグであり、初期設定では、組電池１の正常な状態を示す「正常」に設定されている。
【００５５】
ステップＳ１４０、Ｓ１５０にて異常フラグを設定した後、装置異常判定処理を実行すると共に（Ｓ１６０）、組電池１から各種電気機器４への給電（放電）や外部から組電池１への給電（充電）といった充放電を切り替える状態制御処理を実行する（Ｓ１７０）。なお、主マイコン２３が実行する装置異常判定処理については後述する。
【００５６】
続いて、車両のイグニッションがオンであるか否かを判定し（Ｓ１８０）、イグニッションがオフと判定された場合に、異常検出処理を終了し、イグニッションがオンと判定された場合に、ステップＳ１００に戻る。
【００５７】
次に、副マイコン２４が実行する組電池１の異常検出処理では、図４に示すように、まず、通信ポート２３１の周期信号により各電池ブロックＣＢ１〜ＣＢｎの電池電圧の検出タイミングであるか否かを判定する（Ｓ２００）。
【００５８】
この結果、電池電圧の検出タイミングでないと判定された場合には、電池電圧の検出タイミングとなるまで待機する。一方、電池電圧の検出タイミングであると判定された場合には、各電池ブロックＣＢ１〜ＣＢｎの電圧を検出するように副検出回路２２を制御する（Ｓ２１０）。
【００５９】
続いて、副検出回路２２から検出結果である各電池ブロックＣＢ１〜ＣＢｎのブロック電圧を取得し（Ｓ２２０）、取得した検出結果に基づいて、組電池１の電池異常の有無を判定する（Ｓ２３０）。
【００６０】
このステップＳ２３０の判定処理では、副検出回路２２から取得した各電池ブロックＣＢ１〜ＣＢｎのブロック電圧が、ブロック電圧許容範囲内であるか否かを判定し、ブロック電圧許容範囲外となる場合に組電池１に電池異常有りと判定する。なお、ブロック電圧許容範囲は、各電池ブロックＣＢ１〜ＣＢｎが要求される出力性能を発揮し得る範囲であって、電池ブロックＣＢ１〜ＣＢｎにおける耐電圧の範囲内に設定されている。
【００６１】
ステップＳ２３０の判定処理の結果、電池異常有りと判定されなかった場合、組電池１の異常の有無を示す異常フラグを「正常」に設定し（Ｓ２４０）、電池異常有りと判定された場合、異常フラグを「電池異常」に設定する（Ｓ２５０）。なお、異常フラグは、主マイコン２３側の異常フラグと同様であることから、説明を省略する。
【００６２】
ステップＳ２４０、Ｓ２５０にて異常フラグを設定した後、装置異常判定処理を実行する（Ｓ２６０）。なお、副マイコン２４が実行する装置異常判定処理については後述する。
【００６３】
続いて、車両のイグニッションがオンであるか否かを判定し（Ｓ２７０）、イグニッションがオフと判定された場合に、異常検出処理を終了し、イグニッションがオンと判定された場合に、ステップＳ２００に戻る。
【００６４】
次に、主マイコン２３が実行する装置異常判定処理（Ｓ１６０）について図５を用いている説明する。図５に示すように、装置異常判定処理では、まず、副マイコン２４から電池異常の監視結果として、副マイコン２４がステップＳ２４０、Ｓ２５０にて設定した異常フラグの設定状態を取得する（Ｓ１６１）。
【００６５】
続いて、各マイコン２３、２４の電池異常の監視結果が異なっているか否かを判定する（Ｓ１６２）。つまり、各マイコン２３、２４それぞれにて設定された異常フラグの設定状態が異なっているか否かを判定する。
【００６６】
ステップＳ１６２の判定処理の結果、各マイコン２３、２４の電池異常の監視結果が異なっていないと判定された場合、さらに、各マイコン２３、２４の電池異常の監視結果が「正常」で一致しているか否かを判定する（Ｓ１６３）。
【００６７】
この結果、各マイコン２３、２４の電池異常の監視結果が「正常」で一致していると判定された場合、異常フラグを「正常」に確定し（Ｓ１６４）、「電池異常」で一致していると判定された場合、異常フラグを「電池異常」に確定する（Ｓ１６５）。
【００６８】
また、ステップＳ１６２の判定処理の結果、各マイコン２３、２４の電池異常の監視結果が異なっていると判定された場合、各検出回路２１、２２、および各マイコン２３、２４のいずれかに装置異常が生じていると判断できるので、異常フラグを「装置異常」に確定する（１６６）。
【００６９】
続いて、副マイコン２４が実行する装置異常判定処理（Ｓ２６０）について図６を用いている説明する。図６に示すように、装置異常判定処理では、まず、主マイコン２３から電池異常の監視結果として、主マイコン２３がステップＳ１４０、Ｓ１５０にて設定した異常フラグの設定状態を取得する（Ｓ２６１）。
【００７０】
続いて、各マイコン２３、２４の電池異常の監視結果が異なっているか否かを判定する（Ｓ２６２）。つまり、各マイコン２３、２４それぞれにて設定された異常フラグの設定状態が異なっているか否かを判定する。
【００７１】
ステップＳ２６２の判定処理の結果、各マイコン２３、２４の電池異常の監視結果が異なっていないと判定された場合、さらに、各マイコン２３、２４の電池異常の監視結果が「正常」で一致しているか否かを判定する（Ｓ２６３）。
【００７２】
この結果、各マイコン２３、２４の電池異常の監視結果が「正常」で一致していると判定された場合、異常フラグを「正常」に確定し（Ｓ２６４）、「電池異常」で一致していると判定された場合、異常フラグを「電池異常」に確定する（Ｓ２６５）。
【００７３】
また、ステップＳ２６２の判定処理の結果、各マイコン２３、２４の電池異常の監視結果が異なっていると判定された場合、各検出回路２１、２２、および各マイコン２３、２４のいずれかに装置異常が生じていると判断できるので、異常フラグを「装置異常」に確定する（２６６）。
【００７４】
なお、車両全体を制御するための上位制御装置では、各マイコン２３、２４の異常フラグを参照し、システムメインリレー３を制御する。上位制御装置は、例えば、電池異常や装置異常が検出された場合に、システムメインリレー３を遮断状態に切り替えて、車両走行を停止する。
【００７５】
以上説明した本実施形態の電池監視装置２では、組電池１の電池電圧を検出する手段を互いに独立した主検出回路２１および副検出回路２２で構成すると共に、組電池１の異常を検出する制御装置を主マイコン２３および副マイコン２４で構成している。
【００７６】
このような冗長な構成とすれば、主マイコン２３および副マイコン２４のうち、一方のマイコンに何らかの異常が生じたとしても、他方のマイコンにて組電池１の異常を検出することができる。
【００７７】
この際、副検出回路２２における電池電圧の監視数が、主検出回路２１における電池電圧の監視数よりも少ないことから、副検出回路２２および副マイコン２４の構成を、主検出回路２１および主マイコン２３に比べて簡素な構成で実現することが可能となる。
【００７８】
従って、本実施形態の電池監視装置２によれば、組電池１の異常を検出する装置の冗長化に伴う内部構成の複雑化を抑制しつつ、信頼性の向上を図ることが可能となる。
【００７９】
特に、本実施形態では、主検出回路２１にて検出対象となる電池セル１０の電池電圧を検出する検出タイミングと、副検出回路２２にて主検出回路２１の検出対象となる電池セル１０を含む電池ブロックの電池電圧を検出する検出タイミングとを同期させる構成としている。
【００８０】
さらに、本実施形態では、本実施形態では、各マイコン２３、２４にて組電池１の電池異常の監視結果を共有し、各マイコン２３、２４が保有する電池異常の監視結果同士の異同を判定する構成としている。
【００８１】
このように、各検出回路２１、２２にて同様のタイミングで検出した同一の電池セル１０に関する電池電圧の検出結果に基づく電池異常の監視結果を各マイコン２３、２４にて共有し、各マイコン２３、２４が保有する電池異常の監視結果の異同を判定する構成とすれば、組電池１の電池異常に加えて、各検出回路２１、２２や各マイコン２３、２４の装置異常を検出することができる。
【００８２】
なお、本実施形態では、通信ポート２３１、２４１の周期信号により、各検出回路２１、２２による電池電圧の検出タイミングを同期させる例について説明したが、これに限定されない。
【００８３】
例えば、各マイコン２３、２４にて、一方のマイコンから他方のマイコンへの通信データの送信タイミングを利用して、各検出回路２１、２２による電池電圧の検出タイミングを同期させてもよい。
【００８４】
また、各マイコン２３、２４の起動時に、制御時刻を双方で共有することで、各検出回路２１、２２による電池電圧の検出タイミングを同期させてもよい。これによれば、各マイコン２３、２４の起動時に制御時刻を同期させればよいことから、各マイコン２３、２４間の通信量の増大を抑えることができる。
【００８５】
（第２実施形態）
次に、第２実施形態について説明する。本実施形態では、第１実施形態に対して、装置異常判定処理の一部を変更した例について説明する。なお、本実施形態では、第１実施形態と同様または均等な部分についての説明を省略、または簡略化して説明する。
【００８６】
本実施形態の装置異常判定処理では、主検出回路２１の検出結果（各電池セル１０のセル電圧）と副検出回路２２の検出結果（各電池ブロックＣＢ１〜ＣＢｎのブロック電圧）の異同を判定する構成としている。以下、本実施形態の各マイコン２３、２４が実行する装置異常判定処理にういて、図７、図８のフローチャートを用いて説明する。
【００８７】
本実施形態の主マイコン２３が実行する装置異常判定処理では、図７に示すように、まず、副マイコン２４から副検出回路２２の検出結果（電池ブロックＣＢ１〜ＣＢｎのブロック電圧）を取得する（Ｓ１６７）。
【００８８】
続いて、主検出回路２１にて検出した各電池セル１０の電池電圧を第２検出単位毎の電池電圧（各電池ブロックＣＢ１〜ＣＢｎ単位の電圧）に換算し、換算した電池電圧と副マイコン２４から取得した第２検出単位毎の電池電圧とが異なっているか否かを判定する（Ｓ１６８）。なお、各電池セル１０の電池電圧を電池ブロック単位で積算することにより、主検出回路２１にて検出した各電池セル１０の電池電圧を第２検出単位毎の電池電圧への換算することができる。
【００８９】
ここで、主検出回路２１にて検出した各電池セル１０の電池電圧を第２検出単位毎の電池電圧に換算する際に、演算誤差等が生ずる可能性がある。このため、ステップＳ１６８の判定処理では、主マイコン２３にて電池電圧を換算する際の誤差を加味して各マイコン２３、２４における電池ブロック（第２検出単位）毎の検出結果を比較することが望ましい。この点については、以降の各処理においても同様である。
【００９０】
ステップＳ１６８の判定処理の結果、各マイコン２３、２４における電池ブロック（第２検出単位）毎の検出結果が一致していると判定された場合、さらに、各マイコン２３、２４における電池ブロック（第２検出単位）毎の検出結果が電圧許容範囲内であるか否かを判定する（Ｓ１６９）。なお、電圧許容範囲については、前述のブロック電圧許容範囲と同様に設定すればよい。
【００９１】
この結果、各マイコン２３、２４における電池ブロック（第２検出単位）毎の検出結果が電圧許容範囲内であると判定された場合、異常フラグを「正常」に確定し（Ｓ１６４）、電圧許容範囲外であると判定された場合、異常フラグを「電池異常」に確定する（Ｓ１６５）。
【００９２】
一方、ステップＳ１６８の判定処理の結果、各マイコン２３、２４における電池ブロック（第２検出単位）毎の検出結果が異なっていると判定された場合、異常フラグを「装置異常」に確定する（Ｓ１６６）。
【００９３】
次に、本実施形態の副マイコン２４が実行する装置異常判定処理では、図８に示すように、まず、主マイコン２３から主検出回路２１の検出結果（各電池セル１０のセル電圧）を取得する（Ｓ２６７）。
【００９４】
続いて、主制御装置２３から取得した各電池セル１０の電池電圧を第２検出単位毎の電池電圧に換算し、換算した電池電圧と副検出回路２２にて検出した第２検出単位毎の電池電圧とが異なっているか否かを判定する（Ｓ２６８）。
【００９５】
ステップＳ２６８の判定処理の結果、各マイコン２３、２４における第２検出単位毎の検出結果が一致していると判定された場合、さらに、各マイコン２３、２４における第２検出単位毎の検出結果が電圧許容範囲内であるか否かを判定する（Ｓ２６９）。なお、電圧許容範囲については、前述のブロック電圧許容範囲と同様に設定すればよい。
【００９６】
この結果、各マイコン２３、２４における第２検出単位毎の検出結果が電圧許容範囲内であると判定された場合、異常フラグを「正常」に確定し（Ｓ２６４）、電圧許容範囲外であると判定された場合、異常フラグを「電池異常」に確定する（Ｓ２６５）。
【００９７】
一方、ステップＳ２６８の判定処理の結果、各マイコン２３、２４における第２検出単位毎の検出結果が異なっていると判定された場合、異常フラグを「装置異常」に確定する（Ｓ２６６）。
【００９８】
その他の構成および作動については、第１実施形態と同様である。従って、本実施形態の電池監視装置２によれば、第１実施形態の電池監視装置２と同様に、組電池１の電池異常に加えて、各検出回路２１、２２や各マイコン２３、２４の装置異常を検出することができる。
【００９９】
（第３実施形態）
次に、第３実施形態について説明する。本実施形態では、第２実施形態に対して、装置異常判定処理の一部を変更した例について説明する。なお、本実施形態では、第１、第２実施形態と同様または均等な部分についての説明を省略、または簡略化して説明する。
【０１００】
本実施形態の主マイコン２３が実行する装置異常判定処理では、図９に示すように、まず、主検出回路２１にて検出した各電池セル１０の電池電圧を第２検出単位毎の電池電圧（各電池ブロックＣＢ１〜ＣＢｎ単位の電圧）に換算する（Ｓ１７０）。以降の処理内容については、第２実施形態と同様であるため、説明を省略する。
【０１０１】
一方、本実施形態の副マイコン２４が実行する装置異常判定処理では、図１０に示すように、まず、主マイコン２３から主検出回路２１の検出結果を第２検出単位毎の電池電圧に換算した換算結果を取得する（Ｓ２６７）。そして、主制御装置２３から取得した第２検出単位毎の電池電圧と副検出回路２２にて検出した第２検出単位毎の電池電圧とが異なっているか否かを判定する（Ｓ２６８）。
【０１０２】
その他の構成および作動については、第１実施形態と同様である。従って、本実施形態の電池監視装置２によれば、第１実施形態の電池監視装置２と同様に、組電池１の電池異常に加えて、各検出回路２１、２２や各マイコン２３、２４の装置異常を検出することができる。
【０１０３】
また、本実施形態では、副マイコン２４が、主マイコン２３から主検出回路２１の検出結果を第２検出単位毎の電池電圧に換算した換算結果を取得する構成としている。これによれば、副マイコン２４による処理負荷を低減すると共に、主マイコン２３と副マイコン２４との間の通信量の増大を抑制することができる。
【０１０４】
（第４実施形態）
次に、第４実施形態について説明する。なお、本実施形態では、第１実施形態と同様または均等な部分についての説明を省略、または簡略化して説明する。
【０１０５】
本実施形態では、図１１に示すように、主マイコン２３にて各検出回路２１、２３の電池電圧の検出結果が取得可能なように、主マイコン２３に対して、主検出回路２１および副検出回路２２のそれぞれが接続されている。
【０１０６】
同様に、副マイコン２４にて各検出回路２１、２３の電池電圧の検出結果が取得可能なように、副マイコン２４に対して、主検出回路２１および副検出回路２２のそれぞれが接続されている。
【０１０７】
また、本実施形態の各マイコン２３、２４は、装置異常判定処理にて装置異常と判定した際に、各検出回路２１、２２の電池電圧の検出結果、他のマイコンのから取得した電池電圧に基づいて、装置異常の要因を特定するように構成されている。
【０１０８】
具体的には、主マイコン２３では、主検出回路２１の検出結果を第２検出単位毎の電池電圧に換算した換算結果、副検出回路２２の電池電圧の検出結果、および副マイコン２４から取得した第２検出単位毎の電池電圧を比較して、装置異常の要因を特定する。
【０１０９】
なお、主マイコン２３における装置異常の要因を特定する処理の具体例について説明すると、主マイコン２３では、主検出回路２１の検出結果の換算結果、副検出回路２２の電池電圧の検出結果、および副マイコン２４から取得した第２検出単位毎の電池電圧が一致している場合、装置異常が主マイコン２３の異常に起因すると特定する。
【０１１０】
また、主検出回路２１の検出結果の換算結果、副検出回路２２の電池電圧の検出結果、および副マイコン２４から取得した第２検出単位毎の電池電圧の１つが一致していない場合、装置異常が結果の一致しない機器の異常に起因すると特定する。
【０１１１】
つまり、主検出回路２１の検出結果の換算結果が他の結果と一致しない場合、装置異常が主検出回路２１の異常に起因すると特定する。また、副検出回路２２の電池電圧の検出結果が他の結果と一致しない場合、装置異常が副検出回路２２の異常に起因すると特定する。さらに、副マイコン２４から取得した第２検出単位毎の電池電圧が他の結果と一致しない場合、装置異常が副マイコン２４の異常に起因すると特定する。
【０１１２】
また、副マイコン２４では、主検出回路２１の検出結果を第２検出単位毎の電池電圧に換算した換算結果、副検出回路２２の電池電圧の検出結果、および副マイコン２４から取得した第２検出単位毎の電池電圧を比較して、装置異常の要因を特定する。なお、副マイコン２４における装置異常の要因を特定する考え方は、主マイコン２３の処理と同様であるため、説明を省略する。
【０１１３】
その他の構成および作動については、第１実施形態と同様である。従って、本実施形態の電池監視装置２によれば、第１実施形態の電池監視装置２と同様に、組電池１の電池異常に加えて、各検出回路２１、２２や各マイコン２３、２４の装置異常を検出することができる。
【０１１４】
これに加えて、本実施形態では、各マイコン２３、２４を各検出回路２１、２３の電池電圧の検出結果が取得可能な構成すると共に、装置異常の要因を特定する構成としている。これにより、組電池１の電池異常、各検出回路２１、２２や各マイコン２３、２４の装置異常を細分化して特定することができる。
【０１１５】
なお、本実施形態では、各マイコン２３、２４を各検出回路２１、２３の電池電圧の検出結果が取得可能な構成すると共に、装置異常の要因を特定する例について説明したが、これに限定されない。例えば、各マイコン２３、２４のうち一方のマイコンを、各検出回路２１、２３の電池電圧の検出結果が取得可能な構成し、当該一方のマイコンにて装置異常の要因を特定するようにしてもよい。
【０１１６】
（他の実施形態）
以上、本発明の実施形態について説明したが、本発明は上述の実施形態に限定されるものではなく、特許請求の範囲に記載した範囲内において適宜変更が可能である。例えば、以下のように種々変形可能である。
【０１１７】
（１）上述の各実施形態では、主検出回路２１による電池電圧の検出単位を１個の電池セル１０とし、副検出回路２２による電池電圧の検出単位を電池ブロックＣＢ１〜ＣＢｎとする例について説明したが、これに限定されない。副検出回路２２が検出単位とする電池セル１０のセル数が、主検出回路２１が検出単位とする電池セル１０のセル数よりも少ない構成であれば、各検出回路２１、２２の検出単位とする電池セル１０のセル数を任意の数に設定してもよい。
【０１１８】
（２）上述の各実施形態では、各マイコン２３、２４が保有する電池異常の監視結果や各検出回路２１、２２の電池電圧の検出結果といった監視情報の異同に基づいて、装置異常を検出する例について説明したが、これに限定されない。例えば、各マイコン２３、２４にて算出する組電池の残存容量や過充電や過放電の判定結果といった監視情報の異同に基づいて、装置異常を検出するようにしてもよい。
【０１１９】
（３）上述の第２、第３実施形態では、各マイコン２３、２４において、主検出回路２１にて検出された電池電圧を第２検出単位毎の電池電圧に換算し、換算した電池電圧を副検出回路２２にて検出された電池電圧と比較する例について説明したが、これに限定されない。例えば、各マイコン２３、２４において、各検出回路２１にて検出された電池電圧を予め定めた基準単位毎の電池電圧に換算し、換算した電池電圧同士を比較するようにしてもよい。例えば、各検出回路２１、２２の各検出単位に対する基準単位の比（基準単位／各検出単位）により、各検出回路２１にて検出された電池電圧を基準単位毎の電池電圧に換算することができる。
【０１２０】
（４）上述の各実施形態の如く、電池監視装置２の内部構成の簡素化を図る上では、副検出回路２２における組電池１の電池状態を示す物理量の検出性能を、主検出回路２１における組電池１の電池状態を示す物理量の検出性能よりも低くすることが望ましいが、これに限定されず、同等の検出性能としてもよい。
【０１２１】
（５）上述の各実施形態では、主検出回路２１のセル電圧検出回路２１１ａをＡＤ変換方式の電圧検出回路で構成し、副検出回路２２をフライングキャパシタ方式の電圧検出回路で構成する例について説明したが、これに限定されず、それぞれ他の方式の電圧検出回路にて構成してもよい。なお、他の方式の回路としては、例えば、抵抗分圧回路を用いた抵抗分圧方式の電圧検出回路や、閾値となる参照電圧とセル電圧やブロック電圧とを比較して組電池１の過充電や過放電を検出する閾値判定方式の検出回路を採用することができる。
【０１２２】
（６）上述の各実施形態の如く、電池監視装置２の内部構成の簡素化を図る上では、副マイコン２４を主マイコン２３に比べて処理能力等の低いマイコン等で構成することが望ましいが、これに限定されず、同等の処理能力等を有するマイコンで構成してもよい。
【０１２３】
（７）上述の各実施形態の如く、電池監視装置２の内部構成の簡素化を図る上では、組電池１の状態制御に係る処理を主マイコン２３で実行し、副マイコン２４で実行しない構成とすることが望ましいが、これに限定されず、組電池１の状態制御に係る処理を各マイコン２３、２４にて実行するようにしてもよい。
【０１２４】
（８）上述の各実施形態では、各検出回路２１、２２にて組電池１の電池電圧を検出する例について説明したが、これに限定されない。例えば、各検出回路２１、２２にて組電池１の電池温度を監視するようにしてもよい。
【０１２５】
この場合、組電池１に対して、電池セル１０毎のセル温度を検出する温度センサ、および電池ブロックＣＢ１〜ＣＢｎ毎のブロック温度を検出する温度センサを併設する。
【０１２６】
そして、主検出回路２１にてセル温度、副検出回路２２にてブロック温度を検出する構成とし、各検出回路２１、２２の検出結果に基づいて各マイコン２３、２４が組電池１の温度異常を監視すると共に、各マイコン２３、２４による温度異常の監視結果の異同に基づいて、装置異常を検出するようにすればよい。
【０１２７】
（９）上述の各実施形態では、主検出回路２１を複数の監視ＩＣ２１１で構成する例について説明したが、これに限定されず、例えば、単一の集積回路で構成したり、集積回路以外で構成したりしてもよい。
【０１２８】
（１０）上述の各実施形態では、副検出回路２２を、単一のキャパシタ２２２を用いてブロック電圧を検出するフライングキャパシタ方式の電圧検出回路で構成する例について説明したが、これに限定されない。例えば、副検出回路２２を、２つ以上のキャパシタ２２２を用いてブロック電圧を検出するフライングキャパシタ方式の電圧検出回路で構成してもよい。
【０１２９】
（１１）上述の各実施形態では、各マイコン２３、２４が、組電池１の異常を検出した際に、異常フラグを設定する例について説明したが、これに限定されず、例えば、各マイコン２３、２４が、組電池１の異常を検出した際に上位制御装置に報知するようにしてもよい。
【０１３０】
（１２）上述の各実施形態では、車両に搭載された組電池１に、本発明の電池監視装置２を適用する例を説明したが、車両以外に用いられる組電池１に適用してもよい。
【０１３１】
（１３）上述の各実施形態は、互いに無関係なものではなく、組み合わせが明らかに不可な場合を除き、適宜組み合わせが可能である。
【０１３２】
（１４）上述の各実施形態において、実施形態を構成する要素は、特に必須であると明示した場合および原理的に明らかに必須であると考えられる場合等を除き、必ずしも必須のものではないことは言うまでもない。
【０１３３】
（１５）上述の各実施形態において、実施形態の構成要素の個数、数値、量、範囲等の数値が言及されている場合、特に必須であると明示した場合および原理的に明らかに特定の数に限定される場合等を除き、その特定の数に限定されない。
【０１３４】
（１６）上述の各実施形態において、構成要素等の形状、位置関係等に言及するときは、特に明示した場合および原理的に特定の形状、位置関係等に限定される場合等を除き、その形状、位置関係等に限定されない。
【符号の説明】
【０１３５】
１        組電池
１０      電池セル
２１      主検出回路（主検出手段）
２２      副検出回路（副検出手段）
２３      主マイコン（主制御装置）
２４      副マイコン（副制御装置）
【図１】
2014166034.tif 000003
【図２】
2014166034.tif 000004
【図３】
2014166034.tif 000005
【図４】
2014166034.tif 000006
【図５】
2014166034.tif 000007
【図６】
2014166034.tif 000008
【図７】
2014166034.tif 000009
【図８】
2014166034.tif 000010
【図９】
2014166034.tif 000011
【図１０】
2014166034.tif 000012
【図１１】
2014166034.tif 000013